(57)【要約】      （修正有）【課題】オープニング・エンディング演出を行う車両用表示装置の表示品位を損なう虞を低減する。【解決手段】車両用表示装置Ｍは、光源ＢＬと表示素子ＤＳＰとを有する画像表示手段１と、画像表示手段１を制御する制御手段２と、を備える。制御手段２は、開始信号を受信すると、画像表示手段１に車両情報を表示させるのに先立って、オープニング演出を画像表示手段１に表示させる。また、制御手段２は、終了信号を受信すると、表示素子ＤＳＰへのエンディング画像の表示を行った後光源ＢＬによる表示素子ＤＳＰの照明を終了させるエンディング演出を画像表示手段１に表示させる。制御手段２は、エンディング演出を画像表示手段１に表示させている間に開始信号を受信すると、オープニング演出における光源ＢＬによる表示素子ＤＳＰの照明の開始を所定の時間遅延させる。【選択図】図１
2017202728.tif 000002
【特許請求の範囲】
【請求項１】
光源と前記光源に照明される表示素子とを有する画像表示手段と、
前記画像表示手段に車両情報を表示させる制御手段と、を備え、
前記制御手段は、開始信号を受信すると、前記画像表示手段に前記車両情報を表示させるのに先立って、前記表示素子へのオープニング画像の表示と前記光源による前記表示素子の照明を開始させるオープニング演出を前記画像表示手段に表示させ、
前記制御手段は、終了信号を受信すると、前記表示素子へのエンディング画像の表示を行った後前記光源による前記表示素子の照明を終了させるエンディング演出を前記画像表示手段に表示させる車両用表示装置であって、
前記制御手段は、前記エンディング演出を前記画像表示手段に表示させている間に前記開始信号を受信すると、前記オープニング演出における前記光源による前記表示素子の照明の開始を所定の時間遅延させる、
ことを特徴とする車両用表示装置。
【請求項２】
前記所定の時間は、前記制御手段の更新周期と、前記表示手段の更新周期と、の少なくともいずれかに基づいて定められる、
ことを特徴とする請求項１に記載の車両用表示装置。
【請求項３】
前記開始信号および前記終了信号は、車両のイグニッションスイッチの状態である、
ことを特徴とする請求項１または請求項２に記載の車両用表示装置。
【発明の詳細な説明】
【技術分野】
【０００１】
本発明は、画像によって車両情報を表示する車両用表示装置に関する。
【背景技術】
【０００２】
従来の車両用表示装置として特許文献１に開示されたものがある。この車両用表示装置は、開始信号を受信すると表示素子にオープニング画像を表示させると共に表示素子を照明する光源を段階的に明るくするオープニング演出と、終了信号を受信すると表示素子にエンディング画像を表示させると共に表示素子を照明する光源を段階的に暗くするエンディング演出と、を行うものである。
【先行技術文献】
【特許文献】
【０００３】
【特許文献１】特開２０１０−１５８９９５号公報
【発明の概要】
【発明が解決しようとする課題】
【０００４】
しかしながら、エンディング画像を表示中に開始信号を受信すると、オープニング画像に切り替わる前に光源を段階的に明るくなることがあるため、表示素子にエンディング画像からオープニング画像に急に切り替わる様が視認されてしまう。そのため、違和感のあるオープニング演出となってしまい、車両用表示装置の表示品位を損なう原因となり得る。
【０００５】
本発明は、上述した課題に着目してなされたものであり、上記現象の発生を抑え、オープニング・エンディング演出を行う車両用表示装置の表示品位を損なう虞を低減する、ことにある。
【課題を解決するための手段】
【０００６】
本発明に係る車両用表示装置は、
光源と前記光源に照明される表示素子とを有する画像表示手段と、
前記画像表示手段に車両情報を表示させる制御手段と、を備え、
前記制御手段は、開始信号を受信すると、前記画像表示手段に前記車両情報を表示させるのに先立って、前記表示素子へのオープニング画像の表示と前記光源による前記表示素子の照明を開始させるオープニング演出を前記画像表示手段に表示させ、
前記制御手段は、終了信号を受信すると、前記表示素子へのエンディング画像の表示を行った後前記光源による前記表示素子の照明を終了させるエンディング演出を前記画像表示手段に表示させる車両用表示装置であって、
前記制御手段は、前記エンディング演出を前記画像表示手段に表示させている間に前記開始信号を受信すると、前記オープニング演出における前記光源による前記表示素子の照明の開始を所定の時間遅延させる。
【０００７】
また、本発明に係る車両用表示装置の
前記所定の時間は、前記制御手段の更新周期と、前記表示手段の更新周期と、の少なくともいずれかに基づいて定められる、
ように構成することが好ましい。
【０００８】
また、本発明に係る車両用表示装置の
前記開始信号および前記終了信号は、車両のイグニッションスイッチの状態である、
ように構成することが好ましい。
【発明の効果】
【０００９】
本発明によれば、オープニング・エンディング演出を行う車両用表示装置の表示品位を損なう虞が低減する。
【図面の簡単な説明】
【００１０】
【図１】本発明に係る実施形態の車両用表示装置の構成概略図。
【図２】本発明に係る実施形態の車両用表示装置の表示状態遷移図。
【図３】終了手順中に開始信号を受信した際の不都合を示す図。
【図４】本発明に係る実施形態の車両用表示装置の終了手順中に開始信号を受信した際の開始手順を示す図。
【発明を実施するための形態】
【００１１】
以下に本発明に係る実施形態の車両用表示装置Ｍを図面を参照して説明する。
【００１２】
車両用表示装置Ｍは、表示手段１と、制御手段２と、を備える。
【００１３】
画像表示手段１は、ＬＥＤなどの光源ＢＬと、液晶パネルなどの表示素子ＤＳＰと、を有する画像を表示する液晶表示器である。表示素子ＤＳＰは、６０ｆｐｓ（フレーム毎秒）の更新周期で駆動する。
【００１４】
制御手段２は、ＣＰＵと、ＣＰＵが動作させるプログラムデータと画像表示手段１に表示させる画像データとを格納する不揮発メモリと、プログラムデータの実行過程で得られた各種演算結果を格納する揮発性メモリと、時間を計時するタイマと、外部と通信するためのインターフェースと、を有するマイクロコントローラが実装された回路基板である。
【００１５】
制御手段２は、ＣＡＮ（Controller Area Network）などの車内ネットワークＬＡＮに接続されている。制御手段２は、車内ネットワークＬＡＮから、車両のイグニッションスイッチの状態ＩＧや車両の走行速度、エンジン回転数、車両のドアの開閉状態などの各種車両情報を取得する。
【００１６】
制御手段２は、１０ｍｓ（ミリ秒）の更新周期で光源ＢＬの照明輝度を変更する光源制御部Ｐａと、１００ｍｓの更新周期で表示素子ＤＳＰに表示させる画像を変更する表示素子制御部Ｐｂと、を有する。
【００１７】
表示素子制御部Ｐｂは、更新周期が訪れると、不揮発メモリに格納された画像データを用いて表示素子ＤＳＰの表示面の全面に表示する画面データを揮発性メモリに描画する描画処理Ｄｒａｗを実行した後、描画処理Ｄｒａｗによって描画された画面データを揮発メモリのＶＲＡＭ領域に転送する転送処理Ｔｒａｎｓｆｅｒを実行する。表示素子制御部Ｐｂは、次の更新周期が訪れると、ＶＲＡＭ領域に転送を完了した画面データを表示素子ＤＳＰの垂直同期信号ＶＳｙｎｃのタイミングに合わせて反映させる。これにより、所定の画像が表示素子ＤＳＰに表示される。
【００１８】
制御手段２は、図２に示すように、ブランク表示状態と、オープニング表示状態と、メータ表示状態と、エンディング表示状態と、の４つの表示状態を有する。
【００１９】
ブランク表示状態（図２のＢｌａｎｋ）は、制御手段２の初期状態であり、画像表示手段１に何も表示させない状態である。制御手段２は、ブランク表示状態のときは、ブランク表示状態光源ＢＬの照明を消灯させ、表示素子ＤＳＰに全面黒の空白画像を表示させる。制御手段２は、ブランク表示状態のときに、開始信号であるイグニッションスイッチの状態ＩＧがオフからオンへと切り替わったことを検出すると、図２のＴＲ１に示すように、オープニング表示状態（図２のＯｐｅｎｉｎｇ）へと状態遷移する。
【００２０】
オープニング表示状態は、「Ｗｅｌｃｏｍｅ」などのメッセージや車両の名称あるいは車両の製造業者を表す図などから構成されるオープニング画像をオープニング演出として表示手段１に表示させる状態である。制御手段２は、オープニング表示状態に状態遷移すると、オープニング画像を表示素子ＤＳＰに表示させる。また、制御手段２は、光源ＢＬの照明輝度を所定の輝度まで徐々に増加させて、光源ＢＬによる表示素子ＤＳＰの照明を開始する。制御手段２は、オープニング画像を所定の時間表示すると、図２のＴＲ２に示すように、メータ表示状態（図２のＭｅｔｅｒ）へと状態遷移する。
【００２１】
メータ表示状態は、各種車両情報を表す画像を画像表示手段１に表示させる状態である。制御手段２は、メータ表示状態に状態遷移すると、光源ＢＬの照明輝度を所定の輝度に保ったまま、各種車両情報を表す画像を表示素子ＤＳＰに表示させる。制御手段２は、終了信号であるイグニッションスイッチの状態ＩＧがオンからオフへと切り替わったことを検出すると、図２のＴＲ３に示すように、エンディング表示状態（図２のＥｎｄｉｎｇ）に状態遷移する。
【００２２】
エンディング表示状態は、「ＧｏｏｄＢｙｅ」などのメッセージや車両の名称あるいは車両の製造業者を表す図などから構成されるエンディング画像をエンディング演出として表示手段１に表示させる状態である。制御手段２は、エンディング表示状態に状態遷移すると、エンディング画像を表示素子ＤＳＰに表示させると共に、光源ＢＬの照明輝度を消灯するまで徐々に減少させる。制御手段２は、エンディング画像を所定の時間表示すると、図２のＴＲ４に示すように、ブランク表示状態へと状態遷移する。また、制御手段２は、エンディング画像が所定の時間未満表示されている間に開始信号を検出すると、図２のＴＲ５に示すように、オープニング表示状態へと状態遷移する。
【００２３】
図３にエンディング表示状態からオープニング表示状態への状態遷移ＴＲ５のときの制御の流れを示す。図３に示すように、エンディング画像が表示素子ＤＳＰに表示された状態で開始信号を受信してから、オープニング画像が表示素子ＤＳＰの表示に実際に反映されるまで、開始信号を受信してから表示素子制御部Ｐｂの次の更新周期までの時間Ｔ１と、時間Ｔ１から描画処理Ｄｒａｗと転送処理Ｔｒａｎｓｆｅｒを終えて次の更新周期がくるまでの時間Ｔ２と、表示素子ＤＳＰの垂直同期信号ＶＳｙｎｃを待つ時間Ｔ３と、が必要となる。
そのため、図２のＴＲ５に示すエンディング表示状態からオープニング表示状態への状態遷移においては、制御手段２がただちに光源ＢＬの照明輝度を所定の輝度まで徐々に増加させて光源ＢＬによる表示素子ＤＳＰの照明を開始すると、光源ＢＬの照明輝度が徐々に増加しつつエンディング画像からオープニング画像に切り替わる見栄えとなってしまい、車両用表示装置の商品性が損なわれる。
【００２４】
そこで、制御手段２は、図４に示すように、図２のＴＲ５に示すエンディング表示状態からオープニング表示状態への状態遷移においては、開始信号を受信してから遅延時間ＤＴの間、光源ＢＬの照明輝度を所定の輝度まで徐々に増加させる光源ＢＬによる表示素子ＤＳＰの照明を開始しない。この遅延時間ＤＴは、時間Ｔ１，Ｔ２，Ｔ３の合計時間より長くとることが好ましい。
【００２５】
以上のように、本発明の実施形態の車両用表示装置Ｍは、光源ＢＬと光源ＢＬに照明される表示素子ＤＳＰとを有する画像表示手段１と、画像表示手段１に車両情報を表示させる制御手段２と、を備える。制御手段２は、開始信号を受信すると、画像表示手段１に車両情報を表示させるのに先立って、表示素子ＤＳＰへのオープニング画像の表示と光源ＢＬによる表示素子ＤＳＰの照明を開始させるオープニング演出を画像表示手段１に表示させる。また、制御手段２は、終了信号を受信すると、表示素子ＤＳＰへのエンディング画像の表示を行った後光源ＢＬによる表示素子ＤＳＰの照明を終了させるエンディング演出を画像表示手段１に表示させる車両用表示装置である。制御手段２は、エンディング演出を画像表示手段１に表示させている間に開始信号を受信すると、オープニング演出における光源ＢＬによる表示素子ＤＳＰの照明の開始を所定の時間遅延させる。
このように構成することで、光源ＢＬの照明輝度が徐々に増加しつつエンディング画像からオープニング画像に切り替わる見栄えとなることを防ぎ、オープニング・エンディング演出を行う車両用表示装置Ｍの表示品位を損なわれない。
【００２６】
以上、本発明の実施形態を説明した。本発明は上記の実施形態（図面の内容を含む）に限定されない。本発明の主旨に従う範囲で、上記の実施形態に変更（構成要素の削除も含む）できる。
【符号の説明】
【００２７】
Ｍ      ：車両用表示装置
１      ：画像表示手段
ＢＬ    ：光源
ＤＳＰ  ：表示素子
２      ：制御手段
Ｐａ    ：光源制御部
Ｐｂ    ：表示素子制御部
ＤＴ    ：所定の時間
ＩＧ    ：イグニッション信号の状態
【図１】
2017202728.tif 000003
【図２】
2017202728.tif 000004
【図３】
2017202728.tif 000005
【図４】
2017202728.tif 000006